(57)【要約】    【課題】  組み立て及びメンテナンスが容易で、かつ永く良好な状態で使用しうるすのこを提供する。    【解決手段】  短冊状の多数本のすのこ状板と、該すのこ状板が向きを揃えて並置されるすのこ受けとからなり、該すのこ受けは、折り曲げしうる矩形状のシート体に、その両外側に設けられかつ前記並置される前記すのこ状板の両端部を挿入しうるとともに外端側が閉止された内向き開口の外袋状部からなる外袋列と、外袋列の間に形成され、前記すのこ状板が通る孔部を形成する通り孔部からなる１列以上の通り孔列とを形成したことを特徴とする。【選択図】  図１
2006288963.tif 000002
【特許請求の範囲】
【請求項１】
短冊状の多数本のすのこ状板と、該すのこ状板が向きを揃えて並置されるすのこ受けとからなり、
該すのこ受けは、折り曲げしうる矩形状のシート体に、その両外側に設けられかつ前記並置される前記すのこ状板の両端部を挿入しうるとともに外端側が閉止された内向き開口の外袋状部からなる外袋列と、外袋列の間に形成され、前記すのこ状板が通る孔部を形成する通り孔部からなる１列以上の通り孔列とを形成したことを特徴とするすのこ。
【請求項２】
前記すのこ状板は、竹材の集成材を用いて形成されたことを特徴とする請求項１記載のすのこ。
【請求項３】
前記シート体は、該シート体の両外縁に沿って、前記すのこ状板の巾間隔を縦方向に隔ててかつすのこ状部の挿入ゆとりをなす離間部を有して結着される外の帯状シートを具え、しかも、外の帯状シートは外側縁で前記離間部を閉止する閉止部を形成することにより、前記離間部において、前記帯状シートは、シート体と協働して前記外袋状部を形成することを特徴とする請求項１又は２記載のすのこ。
【請求項４】
前記結着は、前記並置される前記すのこ状板の間の隙間と等しい縦方向の結着巾を有してなされることを特徴とする請求項１〜３のいずれかに記載のすのこ。
【請求項５】
前記シート体は、両外側の前記外袋列の間で、前記すのこ状板の巾間隔を縦方向に隔ててかつすのこ状部の挿入ゆとりをなす離間部を有して結着される内の帯状シートを具え、  前記離間部において、前記内の帯状シートは、シート体と協働して前記通り孔部を形成することを特徴とする請求項１〜４のいずれかに記載のすのこ。
【請求項６】
前記シート体は、前記すのこ状板を取付けるすのこ受けシートと、その下面にマット収納部を形成する収納部形成シートとからなり、
前記マット収納部にマットが収納されたことを特徴とする請求項１〜５のいずれかに記載のすのこ。
【請求項７】
前記マットは通気性を有するスポンジ体からなり、かつ少なくともすのこ状板に向く面が、規則的な凹凸形状に形成されたプロファイル面をなすことを特徴とする請求項１〜６のいずれかに記載のすのこ。
【発明の詳細な説明】
【技術分野】
【０００１】
本発明は、通気性が優れるため寝心地が快適であるとともに、巻取り、折り畳みなどの取り扱性および耐久性に優れたすのこに関する。
【背景技術】
【０００２】
桐、桧、杉などで短冊状に形成したすのこ状板を、横桟に一定間隔で釘打ち固定したすのこは、通気性に優れるため、予ねてよりベッドの寝具載置台として使用されている。
【０００３】
しかし、前記すのこは、横桟を介してすのこ状板が定形に固定されるため、未使用時に押入れなどに収納したり、他の部屋へ持ち運ぶ際に、嵩ばって、取り扱いが不便であるという問題があった。
【０００４】
そこで、図９、１０に示すように、各すのこ状板ａの間にスペーサｂを介装するとともに、すのこ状板ａ、およびスペーサｂを連通する挿通孔ｄに、紐状体ｅを挿通することにより、複数のすのこ状板ａを一定間隔で連結しつつ、折り畳み、或いは巻取り可能なすのこが提案されている（例えば、特許文献１参照）。
【０００５】
【特許文献１】実用新案登録第３０８４０８６号公報
【発明の開示】
【発明が解決しようとする課題】
【０００６】
しかしながら前記すのこは、複数のすのこ状板ａ、及びその間に配されたスペーサｂの挿通孔ｄに紐状体ｅを挿通し、数珠状に連結する作業に手間がかかり、しかも折り畳み、或いは巻取りが容易に行えるように、紐状体ｅには一定の弛みを与えることが必要である。しかもこの弛みの程度は、３列に配されるスペーサｂに各々挿通する３本の紐状体ｅにおいて、均一に調整することが求められるため、その作業は熟練が要求されるとともに作業性が悪い。
【０００７】
前記紐状体ｅが、引張りの繰り返しによる伸び、或いは熱膨張を生じた場合は、すのこ状板ａの間隔が不揃いとなり、更には折り畳み、或いは巻取りの形態が乱れて使い勝手を低下させるという問題がある。更に進展状態と、折り畳み或いは巻取り状態との間を繰り返して使用すると、紐状体ｅが磨耗、劣化して破断し易くなり、紐状体ｅが１本でも破断すると、全ての紐状体ｅを取り外して、全て新たな紐状体ｅに取り替えて連結し直す必要があるため、メンテナンスに多大な時間がかかる。
【０００８】
また、特に体重により浮き沈みするマットレスの上で使用する場合、すのこ状板ａに大きな曲げ力が負荷され、しかも挿通孔ｄ周囲には応力集中が発生するため、その箇所で破損しやすいという問題がある。しかも前記紐状体ｅの破断と同様、１枚のすのこ状板ａが破損すると、全てのすのこ状板ａの連結を分解した上で、破損したすのこ状板ａを取り替える必要があり、メンテナンス作業に手間がかかる。
【０００９】
本発明は、すのこ受けは、矩形状のシート体に、外袋列と１列以上の通り孔列とを形成したことを基本とし、組み立て及びメンテナンスが容易で、かつ永く良好な状態で使用しうるすのこの提供を課題としている。
【課題を解決するための手段】
【００１０】
前記目的を達成するために、請求項１に係る発明は、短冊状の多数本のすのこ状板と、該すのこ状板が向きを揃えて並置されるすのこ受けとからなり、該すのこ受けは、折り曲げしうる矩形状のシート体に、その両外側に設けられかつ前記並置される前記すのこ状板の両端部を挿入しうるとともに外端側が閉止された内向き開口の外袋状部からなる外袋列と、外袋列の間に形成され、前記すのこ状板が通る孔部を形成する通り孔部からなる１列以上の通り孔列とを形成したことを特徴とする。
【００１１】
請求項２に係る発明のすのこ状板は、竹材の集成材を用いて形成され、また請求項３に係る発明においては、前記シート体は、該シート体の両外縁に沿って、前記すのこ状板の巾間隔を縦方向に隔ててかつすのこ状部の挿入ゆとりをなす離間部を有して結着される外の帯状シートを具え、しかも、外の帯状シートは外側縁で前記離間部を閉止する閉止部を形成することにより、前記離間部において、前記帯状シートは、シート体と協働して前記外袋状部を形成することを特徴とする。
【００１２】
請求項４に係る発明では、前記結着は、前記並置される前記すのこ状板の間の隙間と等しい縦方向の結着巾を有してなされることを特徴とし、また請求項５に係る発明においては、前記シート体は、両外側の前記外袋列の間で、前記すのこ状板の巾間隔を縦方向に隔ててかつすのこ状部の挿入ゆとりをなす離間部を有して結着される内の帯状シートを具え、前記離間部において、前記内の帯状シートは、シート体と協働して前記通り孔部を形成することを特徴とする。
【００１３】
請求項６に係る発明においては、前記シート体は、前記すのこ状板を取付けるすのこ受けシートと、その下面にマット収納部を形成する収納部形成シートとからなるとともに、前記マット収納部にマットが収納され、また請求項７に係る発明では、前記マットは通気性を有するスポンジ体からなり、かつ少なくともすのこ状板に向く面が、規則的な凹凸形状に形成されたプロファイル面をなすことを特徴とする。
【発明の効果】
【００１４】
請求項１に係る発明では、すのこ状板は、その両端部をシート体の外袋状部、及び通り孔部に挿入して取付けられるため、熟練を要することなく簡単に組立てでき、かつすのこ状板の一部が破損した際には、簡単に取替えできるためメンテナンスが容易である。また進展状態と、折り畳み或いは巻取り状態との間を繰り返して使用しても、すのこ状体の間隔は一定に維持されるため、長く良好な状態で使用できる。そしてすのこ状板は、孔、溝などの切欠き部がないため、応力集中による破断を生じることがなく、耐久性に優れる。  
【００１５】
請求項２に係る発明において、すのこ状板を形成する竹材の集成材は、適度な弾力性と強靭性を併せ持つため、クッション性と体重支持能力とがバランスした快適な寝心地が得られるとともに、熱伝導率が高いため、特に夏季にヒンヤリとした快感が得られて、安眠が得られる。しかも竹材の集成材は、スギ、ヒノキを上回る抗菌性能を有するとともに、脱臭性、及び調湿能力を具えるため、健康増進の効果が得られる。
【００１６】
請求項３に係る発明では、すのこ状板の端部を挿入して支持する外袋状部は、すのこ状板の巾間隔を隔てた離間部を有してシート体に結着される外の帯状シートと、シート体とによって形成されるため、すのこ状板は安定して取付支持されるとともに、組立、取替えなどの作業も簡単に行え、またすのこ状板破損時などのメンテナンスも容易になしうる。  
【００１７】
請求項４に係る発明において、外袋状部の結着は、すのこ状板間の隙間と等しい結着巾を有してなされるため、すのこ状板は、所定の隙間を正確に維持して支持され、また請求項５に係る発明では、前記すのこ状部は、内の帯状シートとシート体との間に形成される通り孔部に中間部が挿入されて支持されるため、あらゆる方向に荷重を受けても位置ズレすることなく、整然とした配置が維持されて、快適な寝心地が得られる。
【００１８】
請求項６に係る発明では、すのこ状部のしなりと、マット収納部に収納されたマットのクッション性とが協働して、体をバランスよく支えることができ、その結果理想的な寝姿勢が維持されるため、心地よい眠りが得られる。また請求項７に係る発明において、スポンジ体が通気性を有するとともに、すのこ状板に向く面がプロファイル面をなすため、すのこ状板の隙間からの湿気、熱の放出が促進される。その結果、特に湿度の高い季節、及び夏季に快適な睡眠環境が得られる。
【発明を実施するための最良の形態】
【００１９】
以下、本発明の実施の一形態を、図示例とともに説明する。図２に示すように、すのこ１は、多数本のすのこ状板２と、このすのこ状板２を等間隔で支持するシート状のすのこ受け３とからなる。またすのこ１は、図１に示すように、ベッドＢのスプリングマットＭの上に載せ、更に必要に応じて、敷きパットなどで覆って使用するとができる。或いは、畳、フローリング床などの上に、直接敷いて寝具として使用することもできる。
【００２０】
前記すのこ状板２は、図３に示すように、同長さで真っ直ぐのびる短冊状の長板を用いて形成され、例えば３０〜９０本程度、本形態では４７本が縦方向に一定の間隙を隔てて、平行に配置される。すのこ状板２は、その巾が例えば、６０〜１５ｍｍ程度、好ましくは４５〜２０ｍｍ、本形態では３０ｍｍに形成される。１５ｍｍ未満では、強度が不足するため体重を受けると過度な湾曲を生じ、逆に６０ｍｍを超えると、隙間のピッチが大きくなるため通気性能が低下するととともに体重を受けた際のしなりが小さくなって寝心地が低下する。なお、すのこ状板２の角部には、体に触れた時の痛みを防ぐために、半径７〜１３ｍｍ程度のアールＲを設けている。またすのこ状板２の間隙は、例えば、７〜３０ｍｍ程度、好ましくは１０〜２０ｍｍ、本形態では１５ｍｍとしている。７ｍｍ未満では、通気性能が不足し、逆に３０ｍｍを超えるとすのこ状板２間に体の一部が落ち込み易くなり、寝心地を損ねる。
【００２１】
本形態のすのこ状板２は、竹材の集成材を用いて形成される。前記集成材は、先ず青竹の表皮を取り除いて平板に加工し、防虫・防カビのための煮沸と燻蒸をおこない乾燥させる。乾燥すると多少変形が生じるため、さらにもう一度削ってひずみを直した後、集成接着して製造される。また竹材としては、孟宗竹（モウソウチク）のほか、真竹（マダケ）、黒竹（クロチク）、破竹（ハチク）などを用いることができる。
【００２２】
このような竹材の集成材は、ヒノキなど無垢木材の１．５倍以上の強度を持つ上、弾性力にも優れ、体重を安定して支持できるとともに適度なクッション性を有するため、快適な寝心地が得られる。また熱伝導率の高い竹材は、夏季にヒヤリとした肌触りがあるため、涼感を得ながら安眠することができる。しかも竹材は、杉、ヒノキを越えた抗菌作用を発揮できる上、脱臭性、消臭性にも優れ、更には高い調湿性能を有するため、体に優しい快適な睡眠環境が形成され、健康増進の効果がある。
【００２３】
なお、本形態のすのこ状板２は、前記の如く竹材の集成材を用いる場合が例示されるが、この他杉、松、樅、栂などの針葉樹、およびナラ、チーク、ラワンなどの広葉樹を含む無垢木材、集成材、ＬＶＬ（単板積層材）などの木質加工棒材、或いはリサイクル木粉にポリプロピレン樹脂、ポリエチレン樹脂などを配合して押出、射出成形した人工木材などの木質材料を用いることもよい。またポリエチレン樹脂、ポリプロピレン樹脂、ポリスチレン樹脂、フェノール樹脂、不飽和ポリエステル樹脂などのプラスチック材料、炭素鋼、ステンレス鋼、合金鋼を含む鉄鋼材料、及びアルミニウム、真鍮などの金属材料を用いてすのこ状板２を形成することもできる。
【００２４】
前記すのこ受け３は、このように形成された多数のすのこ状板２を、向きを揃えてしかも等間隔で支持するものであり、図２、３に示すように、矩形状の折り曲げ可能なシート体４と、このシート体４の両側部に設けられた外袋列６と、その間に設けられた通り孔列８とからなる。
【００２５】
また前記シート体４は、本形態では、図３に示すように、すのこ状板２を取り付ける矩形状のすのこ受けシート４Ａと、このすのこ受けシート４Ａと同形の矩形状をなし、かつその下側で全周縁がすのこ受けシート４Ａに連続する収納部形成シート４Ｂとからなり、従って、前記すのこ受けシート４Ａと収納部形成シート４Ｂとは袋状に連続し、その内部にマット収納部１３が形成される。また図４に示すように、前記シート体４は一側部において、すのこ受けシート４Ａと収納部形成シート４Ｂとがスライドファスナー２１を介して連続している。従って前記マット収納部１３は、前記スライドファスナー２１により開閉可能に形成される。なおシート体４は、縦が例えば、１８００〜２５００ｍｍ程度、本形態では２１００ｍｍ、また巾が例えば、７００〜１５００ｍｍ程度、本形態では１０００ｍｍの大きさに形成される。従って、すのこ１もこれと略同サイズで形成される。
【００２６】
本形態のシート体４は、一枚の大版シートを二つ折りすることにより、すのこ受けシート４Ａ、及び収納部形成シート４Ｂを上下に構成し、かつその二辺を縫い合わせるなどして固着するとともに、残りの一辺に前記スライドファスナー２１を装着して構成されるため、効率的に形成できる点で好ましい。
【００２７】
前記シート体４は、通気性能に優れるものが用いられる。即ちシート材料として、綿（コットン）、麻、毛（ウール）、絹などの天然繊維、又はナイロン、ビニロン、レーヨン、ポリエステル、アクリル、ポリウレタン、ポリクラールなどの化学繊維を用いた織布、或いは不織布を好適に使用できる。特に綿（コットン）１００％の生地を使用すると、吸湿性、通気性、及び耐久性に優れる点で好ましい。また、粗布、ガーゼ織りなどのように密度を粗く織った生地を用いると、シート体４の通気性能が高められ、すのこ状板２の間隙を通る空気、熱が効率良く抜ける点で好ましい。
【００２８】
前記シート体４のマット収納部１３には、マット１４が収納される。このマット１４は、厚さが例えば、８〜３０ｍｍ程度、好ましくは１２〜２３ｍｍ、本形態では１５ｍｍのものが使用される。８ｍｍ未満ではクッション性が不足し、逆に３０ｍｍを超えると、不使用時に巻取り、或いは折り畳みする操作がやりづらく、かつ嵩ばって大きな収納スペースが必要となる。
【００２９】
本形態のマット１４は、連通気泡を有して通気性に優れた、所謂オープンセル構造のスポンジ体１５が用いられる。従ってマット１４及びこれを覆う前記シート体４は双方共高い通気性能を具えるため、前記すのこ状板２の隙間を通って、湿気、及び熱の放散が促進され、その結果梅雨期などの高湿度の季節、及び夏季においても快適、かつ健康な睡眠環境が得られる。
【００３０】
前記スポンジ体１５には、ウレタンフォーム、ポリエチレンフォームなどを用いることができる。さらに本形態では、高反発ウレタンフォームを使用しているため、前記の如く厚さを薄く形成しても、好適なクッション性が得られる点で好ましい。また本形態の高反発ウレタンフォームは、密度が例えば、２５〜１００Ｋｇ／ｍ3 程度、好ましくは３５〜７５Ｋｇ／ｍ3 、本形態では５０Ｋｇ／ｍ3 のものを使用している。２５Ｋｇ／ｍ3 未満では圧縮強度が不足して充分なクッション性が得られず、逆に１００Ｋｇ／ｍ3 を超えると、硬くなり過ぎて寝心地を損なうと共に、巻取り、或いは折り畳みの操作性を低下させる。
【００３１】
前記の如く本形態では、シート体４に内蔵したマット１４、及びシート体４表面のすのこ状板２とが協働して体重を支持するため、すのこ状板２の有するしなりと、マット１４の弾性から生まれるクッション性とが調和して、体重をバランスよく支持することができる。その結果、脊椎などの過度の曲がりが矯正された理想的な寝姿勢が維持でき、健康的でかつ心地よい睡眠が得られる。
【００３２】
前記外袋列６は、前記すのこ受けシート４Ａの両外側に設けられ、外端部が閉止されるとともに内向きに開口して向き合う複数の外袋状部５が、前記すのこ状板２のピッチと同一のピッチで各々縦一列に並んで形成される。そして前記外袋状部５は、前記すのこ状板２の端部が挿入されて、支持できる大きさに形成される。
【００３３】
本形態の外袋状部５は、図２、３に示すように、すのこ受けシート４Ａの両外縁に沿って配された縦長の外の帯状シート１０により形成される。即ち、前記外の帯状シート１０は、すのこ状板２の巾寸法と略等しい間隔で縦方向に離れた、横の縫い目２２、２２において、すのこ受けシート４Ａに縫い付けることにより結着される。ただし外の帯状シート１０は、前記横の縫い目２２、２２の間で緩んだ状態で縫い付けられるため、すのこ受けシート４Ａとの間に、すのこ状板２の端部を挿入することができるゆとりを設ける離間部９が形成される。
【００３４】
さらに前記外の帯状シート１０は、その外側縁において、縦一列に縫い付けられ、この縦の縫い目２３によって、前記離間部９の奥部を閉止する閉止部１１が形成される。しかして、すのこ受けシート４Ａと外の帯状シート１０との間の離間部９において、横の縫い目２２、２２及び縦の縫い目２３に囲まれた外袋状部５が形成される。従って、前記外袋状部５に両端部を挿入して取り付けられたすのこ状板２は、体重が掛かり撓みなど変形を生じたり、或いはすのこ１を繰り返して巻取り、折り畳みしても、シート体４に安定して支持される。さらにすのこ状板２の組み立て、取替えの作業も簡単に行うことができ、又すのこ状板２破損時の補修、或いは違う材質のすのこ状板２への交換など、メンテナンス作業も容易に行える。
【００３５】
また隣り合う離間部９における各々隣接する横の縫い目２２、２２の間隔である縦の結着巾Ｄは、縦方向に並置される前記すのこ状板２の間の隙間に等しく形成される。従って、すのこ状板２は、体重など負荷が作用した場合でも、所定の隙間が正確に維持でき、体全体が平均して支持されるため、寝心地を損ねることがない。
【００３６】
前記通り孔列８は、前記両外側に設けられた外袋列６の間で、縦に並ぶ通り孔部７により構成される。また本形態の通り孔部７は、前記外の帯状シート１０の間で縦にのびる内の帯状シート１２を用いて形成される。即ち前記内の帯状シート１２は、前記外の帯状シート１０と同様、すのこ状板２の巾寸法と略等しい間隔を縦方向に離れた、横の縫い目２４、２４において、すのこ受けシート４Ａに縫い付けられることにより結着される。そして内の帯状シート１２は、前記横の縫い目２４、２４の間で緩んだ状態で縫い付けられるため、すのこ受けシート４Ａとの間に、すのこ状板２を挿入することができるゆとりを設ける離間部９が形成される。そして、この離間部９において、すのこ受けシート４Ａと内の帯状シート１２とで囲まれる通り孔部７が形成される。
【００３７】
なお該通り孔部７は、前記外袋列６の外袋状部５と同一間隔で整一に配置され、両端部を前記外袋状部５に挿入して支持されたすのこ状板２は、その中間部が挿通されて支持される。その結果、使用者が動いたり、巻取り、折り畳みの際に、すのこ状板２にあらゆる角度から力が働いても、位置ズレすることがなく、等間隔の整然とした配置が維持されるため、体圧が分散支持されて快適な寝心地が得られる。
【００３８】
本形態の通り孔列８は、外袋列６の略中央部に1 列が形成されるが、２列以上設けるとすのこ状板２をより安定して支持できる点で好ましい。また本形態の外の帯状シート１０、内の帯状シート１２は、すのこ受けシート４Ａに対して縫い付けることにより結着しているが、接着、溶着、ホチキス止めなどの結着手段を用いることもよい。
【００３９】
なお図４に示すように、シート体４の収納部形成シート４Ｂは、その一端から中央に向け縦にのびる、２本の帯紐状体２６、２６が２本間隔を隔てて取り付けられている。そして、この帯紐状体２６には、前記一端の表面に、小フックを多数設けた面ファスナーの雄面材２７Ａが取り付けられるとともに、他端部の裏面に、小ループを多数設けた面ファスナーの雌面材２７Ｂが取り付けられる。更に前記中央に向けてのびた帯紐状体２６の前記雌面材２７Ｂに向き合う別の雄面材２７Ａが、前記収納部形成シート４Ｂに取り付けられる。
【００４０】
そして、すのこ１を進展状態で使用する時、前記帯紐状体２６は、その雌面材２７Ｂを、収納部形成シート４Ｂに取り付けた雄面材２７Ａに圧着して係合させることにより、収納部形成シート４Ｂに沿って仮固定されるため、帯紐状体２６が食み出して目障りになることがない点で好ましい。また、図５に示すように、すのこ１を丸めて収納する時、前記帯紐状体２６は、すのこ１の外周を巻回するとともに前記雌面材２７Ｂを、帯紐状体２６に取り付けた雄面材２７Ａに係合させることにより前記丸めた状態を維持でき、嵩張らない状態で便利に収納しうる点で好ましい。更にすのこ１は、図６に示すように、すのこ状板２を内側に三つ折にしてコンパクトな状態で収納することもできる。
【００４１】
前記の如く構成されたすのこ１において、すのこ状板２は、その両端部がシート体４の外袋状部５、中間部が通り孔部７に挿入されて取付けられるため、組み立てに際しては熟練を要することなく簡単に作業でき、またすのこ状板２の一部が破損した際、或いは異なる材質のすのこ状板２に交換する場合などには、使用者が簡単に取替えできるため、迅速かつコストをかけずにメンテナンスが行える。また、進展状態と、収納時の折り畳み或いは巻取り状態との間で、繰り返して変形させても、すのこ状板２の間隔はそのまま維持されるため、初期の長く良好状態で長期間使用できる。しかもすのこ状板２は、孔、溝などの切欠き部を設けることなく組み立てされるため、応力集中によって破損を生じることが少なく、永く使用できる。
【００４２】
図７、８は、他の実施形態を例示している。以下異なる内容について説明し、それ以外は図中に表れた主要な構成に同じ符号を付すのみとする。
【００４３】
本形態のスポンジ体１５は、すのこ状板２に向く面が、規則的な凹凸形状に形成されたプロファイル面１６をなすものが例示される。そのため、スポンジ体１５自体の通気性能に加え、プロファイル面１６により形成される通気経路によって、空気の流れが促進される。従って、すのこ状板２の隙間を通る空気は、前記通気性に富んだシート体４、及び連通気泡を有し通気抵抗の小さなスポンジ体１５を抜け、更にはプロファイル面１６の通気経路を自由に通過できる。その結果、すのこ１の厚さ方向及び面方向に向けて、湿気、及び熱が放散され、高湿度の季節、夏季などにあっても、発汗を促進して、快適、健康な睡眠環境が得られる。またプロファイル面１６によってスポンジ体１５を軽量化でき、スポンジ体１５の両面にプロファイル面１６を形成することもよい。なお、マット体１４を二層のスポンジ体１５により構成する場合、重なり合う面に凸部相互が向き合って当接するプロファイル面１６を形成すると、大きく軽量化できる。
【００４４】
図８に示すように、前記プロファイル面１６の凹凸高さＨは、例えば、５〜２０ｍｍ程度、好ましくは７〜１５ｍｍ、本形態では１０ｍｍに形成される。５ｍｍ未満では通気促進の効果が乏しく、逆に２０ｍｍを超えると弾性が不足してクッション性が損なわれる。
【００４５】
また前記凹凸高さＨの、スポンジ体１５の厚さＴに対する高さ比Ｈ／Ｔは、例えば、０．３〜０．８５程度、好ましくは０．５〜０．７５、本形態では０．６７としている。０．３未満では通気促進効果に乏しく、逆に０．８５を超えると弾性が低下してクッション性が損なわれる。
【００４６】
さらに、前記プロファイル面１６の凸部の間隔Ｐは、例えば、２５〜１００ｍｍ程度、好ましくは３５〜７５ｍｍ、本形態では４５〜５５ｍｍ程度に形成される。２５ｍｍ未満、或いは１００ｍｍを超えると、何れも加圧された時に通気できる空隙が小さくなり、湿気、熱の放散が不足する。
【００４７】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００４８】
【図１】本発明の一実施の形態を例示する斜視図である。
【図２】その分解斜視図である。
【図３】その要部拡大斜視図である。
【図４】裏返した状態の要部斜視図である。
【図５】丸めた状態の斜視図である。
【図６】折り畳んだ状態の斜視図である。
【図７】他の実施形態を例示する部分拡大斜視図である。
【図８】その断面図である。
【図９】従来例の斜視図である。
【図１０】その要部拡大断面図である。
【符号の説明】
【００４９】
１      すのこ
２      すのこ状板
３      すのこ受け
４      シート体
４Ａ    すのこ受けシート
４Ｂ    収納部形成シート
５      外袋状部
６      外袋列
７      通り孔部
８      通り孔列
９      離間部
１０      外の帯状シート
１１      閉止部
１２      内の帯状シート
１３      マット収納部
１４      マット
１５      スポンジ体
１６      プロファイル面
【図１】
2006288963.tif 000003
【図２】
2006288963.tif 000004
【図３】
2006288963.tif 000005
【図４】
2006288963.tif 000006
【図５】
2006288963.tif 000007
【図６】
2006288963.tif 000008
【図７】
2006288963.tif 000009
【図８】
2006288963.tif 000010
【図９】
2006288963.tif 000011
【図１０】
2006288963.tif 000012